(57)【要約】      （修正有）【課題】多様な時刻表示をより適切に使い分けることの可能な電子機器及び時刻表示制御方法を提供する。【解決手段】スマートウォッチ１００は、メインＣＰＵ１１１と、サブＣＰＵ２１１と、第１表示部１２と、第２表示部２２と、を備え、メインＣＰＵ１１１及びサブＣＰＵ２１１が連携して、時刻表示を含む表示動作の実行中には、動作状態に応じた第１表示部１２及び第２表示部２２の少なくとも一方への時刻表示処理を実行する。【選択図】図２
2019197064.tif 000002
【特許請求の範囲】
【請求項１】
第１のプロセッサと、
第２のプロセッサと、
第１の表示部と、
第２の表示部と、
を備え、
前記第１のプロセッサは、通常モード、低電力モード、休止モード、の何れかのモードに設定可能であり、
前記通常モード又は前記低電力モードでは、前記第１のプロセッサが前記第１の表示部に時刻表示を行わせる制御を行い、前記第２のプロセッサが前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする電子機器。
【請求項２】
第１のプロセッサと、
第２のプロセッサと、
第１の表示部と、
第２の表示部と、
を備え、
前記第１のプロセッサは、通常モード、低電力モード、休止モード、の何れかのモードに設定可能であり、
前記通常モードでは、前記第１のプロセッサが前記第１の表示部に時刻表示を行わせる制御を行い、前記第２のプロセッサが前記第２の表示部に時刻表示を行わせない制御を行い、
前記低電力モードでは、前記第２のプロセッサが前記第１の表示部に時刻表示を行わせるとともに前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする電子機器。
【請求項３】
前記第２のプロセッサは、前記第１のプロセッサよりも低消費電力、及び又は、前記第１のプロセッサの動作周波数よりも低い動作周波数、で動作することを特徴とする請求項１又は２記載の電子機器。
【請求項４】
前記第１のプロセッサは、動作状態として複数の消費電力モードの何れかに選択的に設定可能であることを特徴とする請求項１〜３の何れか一項に記載の電子機器。
【請求項５】
前記複数の消費電力モードには、通常モード、当該通常モードよりも消費電力の小さい低電力モード、及び当該低電力モードよりも更に消費電力が小さく、前記第１のプロセッサを休止させる休止モードが含まれることを特徴とする請求項４記載の電子機器。
【請求項６】
前記第１のプロセッサの制御により時刻を計数する第１の時計手段と、
前記第１の時計手段とは別個に時刻を計数する第２の時計手段と、
を備え、
前記第１のプロセッサは、前記第１の時計手段により計数された時刻を前記第１の表示部に表示させ、
前記第２のプロセッサは、前記第２の時計手段により計数された時刻を前記第２の表示部に表示させる
ことを特徴とする請求項１記載の電子機器。
【請求項７】
前記第１のプロセッサの制御により時刻を計数する第１の時計手段と、
前記第１の時計手段とは別個に時刻を計数する第２の時計手段と、
を備え、
前記通常モードでは、前記第１のプロセッサが前記第１の時計手段により計数された時刻を前記第１の表示部に表示させ、
前記低電力モードでは、前記第２のプロセッサが前記第２の時計手段により計数された時刻を前記第１の表示部に表示させ、
前記休止モードでは、前記第２のプロセッサが前記第２の時計手段により計数された時刻を前記第２の表示部に表示させる
ことを特徴とする請求項２記載の電子機器。
【請求項８】
所定の時間間隔を計数する第１のカウント手段を備え、
前記通常モードでは、前記第１のプロセッサが前記第１の時計手段により計数された時刻を前記所定の時間間隔より短い第１の時間間隔で更新しながら前記第１の表示部に表示させ、
前記低電力モードでは、前記第１のプロセッサは、前記第１のカウント手段により前記所定の時間間隔ごとに呼び出されて前記第１の表示部に時刻を表示させる
ことを特徴とする請求項６記載の電子機器。
【請求項９】
記憶手段を備え、
前記第１のプロセッサは、
前記通常モードから前記低電力モードへ遷移する場合に、前記第１の時計手段により計数された時刻を前記記憶手段に記憶させて、前記第１の時計手段による時刻の計数を中止させ、
前記低電力モードにおいて前記第１のカウント手段により呼び出されると、前記記憶手段に記憶した時刻を読み出して当該時刻に前記所定の時間間隔を加算した時刻を算出し、算出された時刻を前記第１の表示部に表示させる
ことを特徴とする請求項８記載の電子機器。
【請求項１０】
前記第１の時計手段及び前記第２の時計手段とは別個に時刻を計数する第３の時計手段を備え、
前記低電力モードでは、前記第１のプロセッサは、前記第１の時計手段による時刻の計数を中止させ、前記第１のカウント手段により呼び出されると、前記第３の時計手段から時刻を取得して前記第１の表示部に表示させる
ことを特徴とする請求項８記載の電子機器。
【請求項１１】
前記第２のプロセッサは、動作状態として複数の消費電力モードの何れかに選択的に設定可能であり、
前記複数の消費電力モードには、
前記第２のプロセッサを通常動作させる第２通常モードと、
前記第２のプロセッサを前記第２通常モードよりも低消費電力で動作させる第２低電力モードと、
が含まれることを特徴とする請求項３又は４記載の電子機器。
【請求項１２】
前記第２のプロセッサは、動作状態として複数の消費電力モードの何れかに選択的に設定可能であり、
前記複数の消費電力モードには、
前記第２のプロセッサを通常動作させる第２通常モードと、
前記第２のプロセッサを前記第２通常モードよりも低消費電力で動作させる第２低電力モードと、が含まれ、
第２の時間間隔を計数する第２のカウント手段を備え、
前記第２の時計手段は、リアルタイムクロックであり、
前記第２のプロセッサは、前記第２のカウント手段により前記第２の時間間隔ごとに呼び出されて前記第２の時計手段の時刻を取得し、前記第２低電力モードでは、前記第２通常モードよりも前記第２の時間間隔を広げて設定する
ことを特徴とする請求項６記載の電子機器。
【請求項１３】
外部から時刻情報を取得する時刻取得手段を備え、
前記第１のプロセッサは、前記時刻取得手段により取得された時刻に基づいて前記第１の時計手段の計数する時刻を補正する
ことを特徴とする請求項６〜１０、１２の何れか一項に記載の電子機器。
【請求項１４】
前記第１のプロセッサは、前記低電力モード又は前記休止モードから前記通常モードに遷移した場合に、前記時刻取得手段により時刻を取得させ、取得された時刻に基づいて前記第１の時計手段の計数する時刻を補正する
ことを特徴とする請求項１３記載の電子機器。
【請求項１５】
前記通常モードから前記低電力モード又は前記休止モードに遷移する場合、前記第１のプロセッサは、前記第１の時計手段が計数する時刻に基づいて前記第２の時計手段の時刻を修正することを特徴とする請求項６〜１０、１２〜１４の何れか一項に記載の電子機器。
【請求項１６】
前記通常モードから前記低電力モード又は前記休止モードに遷移する場合、前記第１のプロセッサは、前記第１の時計手段が計数する時刻に基づいて前記第３の時計手段の時刻を修正することを特徴とする請求項１０記載の電子機器。
【請求項１７】
前記第２の表示部は、前記第１の表示部の上部に積層され、時刻を表示しない状態では前記第１の表示部の表示内容を透過させるように制御されることを特徴とする請求項１〜１６の何れか一項に記載の電子機器。
【請求項１８】
第１のプロセッサと、第２のプロセッサと、第１の表示部と、第２の表示部と、を備える電子機器の表示制御方法であって、
前記第１のプロセッサは、通常モード、低電力モード、休止モード、の何れかのモードに設定可能であり、
前記通常モード又は前記低電力モードでは、前記第１のプロセッサが前記第１の表示部に時刻表示を行わせる制御を行い、前記第２のプロセッサが前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする時刻表示制御方法。
【請求項１９】
第１のプロセッサと、第２のプロセッサと、第１の表示部と、第２の表示部と、を備える電子機器の表示制御方法であって、
前記第１のプロセッサは、通常モード、低電力モード、休止モード、の何れかのモードに設定可能であり、
前記通常モードでは、前記第１のプロセッサが前記第１の表示部に時刻表示を行わせる制御を行い、前記第２のプロセッサが前記第２の表示部に時刻表示を行わせない制御を行い、
前記低電力モードでは、前記第２のプロセッサが前記第１の表示部に時刻表示を行わせるとともに前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする時刻表示制御方法。 
【発明の詳細な説明】
【技術分野】
【０００１】
この発明は、表示部を有する電子機器及び時刻表示制御方法に関する。
【背景技術】
【０００２】
従来、表示部を有し、各種情報を表示させることが可能な電子機器（電子表示装置）がある。電子表示装置では、表示画面の改良などに応じて多様な表示を行わせることが可能となっている。また、従来、複数の表示部を有し、表示内容に応じて複数の表示部を使い分ける技術がある（例えば、特許文献１）。
【先行技術文献】
【特許文献】
【０００３】
【特許文献１】特開２００６−１０１５０５号公報
【発明の概要】
【発明が解決しようとする課題】
【０００４】
しかしながら、複数の表示画面を有している場合に、これらを多様に使いこなして時刻表示を行わせるには、これらの制御動作も多様な状況で最適に行われる必要があるという課題がある。
【０００５】
この発明の目的は、多様な時刻表示をより適切に使い分けることの可能な電子機器及び時刻表示制御方法を提供することにある。
【課題を解決するための手段】
【０００６】
上記目的を達成するため、本発明は、
第１のプロセッサと、
第２のプロセッサと、
第１の表示部と、
第２の表示部と、
を備え、
前記第１のプロセッサは、通常モード、低電力モード、休止モード、の何れかのモードに設定可能であり、
前記通常モード又は前記低電力モードでは、前記第１のプロセッサが前記第１の表示部に時刻表示を行わせる制御を行い、前記第２のプロセッサが前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする電子機器である。
【発明の効果】
【０００７】
本発明に従うと、電子機器において、多様な時刻表示をより適切に使い分けることが可能となるという効果がある。
【図面の簡単な説明】
【０００８】
【図１】本発明の電子機器の実施形態であるスマートウォッチの正面図である。
【図２】スマートウォッチの機能構成を示すブロック図である。
【図３】スマートウォッチが各消費電力モードにある場合における表示状態の例を示す正面図である。
【図４】メインＣＰＵが実行する表示制御処理の制御手順を示すフローチャートである。
【図５】サブＣＰＵによる表示制御処理の制御手順を示すフローチャートである。
【図６】メインＣＰＵによる変形例１の表示制御処理の制御手順を示すフローチャートである。
【図７】サブＣＰＵによる変形例１の表示制御処理の制御手順を示すフローチャートである。
【図８】メインＣＰＵによる変形例２の表示制御処理の制御手順を示すフローチャートである。
【図９】メインＣＰＵによる変形例３の表示制御処理の制御手順を示すフローチャートである。
【図１０】サブＣＰＵによる変形例３の表示制御処理の制御手順を示すフローチャートである。
【発明を実施するための形態】
【０００９】
以下、本発明の電子機器をスマートウォッチとして実現した場合の実施の形態を図面に基づいて説明する。
図１は、本発明の電子機器の実施形態であるスマートウォッチ１００の正面図である。
【００１０】
図１（ａ）に示すように、スマートウォッチ１００は、バンド２を用いて本体部１をユーザの腕に装着可能な腕装着型の電子機器である。スマートウォッチ１００の本体部１は、フレーム３と、表示画面４と、押しボタンスイッチＢ１などを備える。
【００１１】
押しボタンスイッチＢ１は、フレーム３の側面に設けられてユーザの押下操作を受け付ける。押しボタンスイッチＢ１は、押下されることで後述の低電力モードや休止モードから通常モードに復帰させたりする。
【００１２】
表示画面４には、２面の表示部が積層されている。図１（ｂ）に示すように、下部には、第１表示部１２（図２参照）の表示画面１２ａが設けられ、上部には、第２表示部２２（図２参照）の表示画面２２ａが設けられている。即ち、図１（ａ）では、第１表示部１２により表示がなされ、第２表示部２２の表示画面２２ａが第１表示部１２による表示を透過させている状態を示している。
第２表示部２２の更に上部には、図示略のタッチセンサが設けられて押しボタンスイッチＢ１ととともにユーザ操作を受け付けることが可能となっている。
【００１３】
第１表示部１２は、ドットマトリクスによるカラー液晶表示画面を有し、ユーザの入力操作や各種プログラム動作などに応じて各種機能に係る種々の表示を切り替えて及び／又は並列に行う。
第２表示部２２は、第１表示部１２よりも低消費電力で簡略表示により時刻の表示が可能な表示画面を有し、例えば、セグメント方式による白黒液晶表示を行う。或いは、第２表示部２２の表示画面２２ａには、メモリインピクセル液晶（ＭＩＰ液晶）が用いられても良いし、ＰＮ液晶（Polymer Network）などが用いられても良い。また、第２表示部２２の表示画面２２ａは、所定の電圧を印加することで表示を一切行わせずに第１表示部１２の表示内容を上方に透過させることが出来る。
【００１４】
図２は、本実施形態のスマートウォッチ１００の機能構成を示すブロック図である。
スマートウォッチ１００は、メインマイコン１１と、第１表示部１２（第１の表示部）と、操作受付部１３と、無線通信コントローラ１４と、衛星電波受信モジュール１５と、サブマイコン２１と、第２表示部２２（第２の表示部）と、スイッチ２３と、ＰＭＩＣ３１（Power Management IC）などを備える。
【００１５】
メインマイコン１１は、メインＣＰＵ１１１（第１のプロセッサ）と、ＲＡＭ１１２と、記憶部１１３などを備えたメインとなる制御部である。メインマイコン１１は、ＰＭＩＣ３１の制御により電源からの電力供給を受けて、第１表示部１２、操作受付部１３、無線通信コントローラ１４及び衛星電波受信モジュール１５などの各部の動作を制御する。
【００１６】
メインＣＰＵ１１１は、各種演算処理を行い、スマートウォッチ１００の通常の動作状態における動作を統括制御する。
ＲＡＭ１１２は、メインＣＰＵ１１１に作業用のメモリ空間を提供し、一時データを記憶する。ＲＡＭ１１２は、図示略のクロック信号に基づいて第１の時計手段としてのメインＣＰＵ１１１により計数される時刻情報を記憶保持する。以下、「時刻」との記載は、日付部分を含む「日時」を意味して良い。
記憶部１１３は、メインＣＰＵ１１１の実行する制御プログラムや設定データなどを記憶するフラッシュメモリなどの不揮発性メモリである。
【００１７】
上述の第１表示部１２は、主にメインマイコン１１（メインＣＰＵ１１１（図２参照））により表示動作の制御がなされるが、サブマイコン２１（サブＣＰＵ２１１（図２参照））によっても表示制御が可能となっている。
【００１８】
操作受付部１３は、上述の押しボタンスイッチＢ１及びタッチセンサを含み、ユーザの入力操作を受け付けて、操作内容を電気信号に変換してメインＣＰＵ１１１に出力する。
【００１９】
無線通信コントローラ１４は、外部の電子機器と無線通信を行うためのコントローラである。無線通信規格としては、特には限られないが、例えば、ブルートゥース（登録商標：Bluetooth）などの近距離無線通信や、無線ＬＡＮ（ＩＥＥＥ８０２．１１）などが挙げられる。メインマイコン１１（メインＣＰＵ１１１）は、無線通信コントローラ１４を介して外部から必要な情報やプログラム及びこれらの更新データなどを取得することが出来る。通信接続対象となる外部の電子機器としては、例えば、スマートフォン、携帯電話、タブレット端末やＰＤＡ（Personal Digital Assistant）などが挙げられる。これらのうち、特に、スマートフォンや携帯電話では、基地局との接続時に時刻情報が同期されて時刻の精度が維持されている。メインＣＰＵ１１１は、スマートフォンや携帯電話と通信接続を行う場合には、これらの外部機器から時刻情報を取得し、取得された時刻情報に基づいて計数時刻を修正することが出来る。
【００２０】
衛星電波受信モジュール１５は、測位衛星からの電波、ここでは、少なくともＧＰＳ（Global Positioning System）に係る衛星（ＧＰＳ衛星）からの電波を捕捉、受信して復調し、時刻を取得したり測位を行ったりすることが可能なモジュールである。衛星電波受信モジュール１５は、図示略のアンテナを有し、メインマイコン１１（メインＣＰＵ１１１）の制御に基づいてＬ１帯の電波（ＧＰＳ衛星では、１．５７５４２ＧＨｚ）の電波を受信して逆スペクトラム拡散を行い、航法メッセージを取得、解読して所定のフォーマットで出力する。
【００２１】
サブマイコン２１は、サブＣＰＵ２１１（第２のプロセッサ）と、ＲＴＣ２１２（リアルタイムクロック、第２の時計手段）などを備える。サブマイコン２１は、ＰＭＩＣ３１の制御により電源から電力供給を受けて動作し、主に第２表示部２２の動作を制御する。
【００２２】
サブＣＰＵ２１１は、各種演算処理を行い、サブマイコン２１の動作を制御する。サブＣＰＵ２１１は、メインＣＰＵ１１１よりも低消費電力であって、これに伴ってメインＣＰＵ１１１よりも低能力であって良い。サブＣＰＵ２１１は、例えば、定期的な所定動作を行うタイミングや、メインＣＰＵ１１１やスイッチ２３などからの入力が検出された場合にのみ動作し、それら以外の期間にはスタンバイ状態で待機しているものであって良い。
【００２３】
ＲＴＣ２１２は、時刻の計時動作を行う通常のものであり、低消費電力であることが好ましい。
【００２４】
第２表示部２２は、上述のように、第１表示部１２よりも消費電力が低く、また、表示動作時には、時刻の表示に用いられる。表示画面にＭＩＰ液晶が用いられる場合には、サブＣＰＵ２１１は、表示内容の更新周波数を落とすことが出来るので、更新間隔の間、スタンバイ状態とすることが出来る。
【００２５】
スイッチ２３は、メインマイコン１１が休止状態とされている場合にこのメインマイコン１１を再起動させる所定のユーザ操作を受け付けるオンスイッチである。スイッチ２３は、専用で設けられていても良いし、押しボタンスイッチＢ１と併用されても良い。
【００２６】
ＰＭＩＣ３１は、電源からメインマイコン１１及びサブマイコン２１への電力供給を制御する。ＰＭＩＣ３１は、例えば、メインマイコン１１及びサブマイコン２１への電力出力可否の切り替えスイッチや、出力電圧などを調整するＤＣ／ＤＣコンバータなどを備え、メインマイコン１１やサブマイコン２１の動作時に適切な電力をこれらに供給する。
【００２７】
また、ＰＭＩＣ３１は、カウンタ３１１（第１のカウント手段）と、ＲＴＣ３１２（第３の時計手段）を備える。
カウンタ３１１は、所定のクロック信号を計数し、設定されたカウント数ごとに周期的に（所定の時間間隔で）信号を出力する。クロック信号としては、ＲＴＣ３１２が備える発振器の発振信号又はこの発振信号を分周した信号を用いることが出来る。
ＲＴＣ３１２は、時刻を計数する動作を行う通常のものである。このＲＴＣ３１２は、ＲＴＣ２１２と同一種別のものが用いられても良く、或いは、異なる種別のものであっても良い。
【００２８】
次に、本実施形態のスマートウォッチ１００における表示動作と電力制御について説明する。
このスマートウォッチ１００では、三段階の消費電力モード（動作状態）が設定可能となっている。この消費電力モードとしては、通常動作を行う通常モードに対し、この通常モードより電力消費の小さい低電力モード、及び低電力モードより更に消費電力の小さい休止モードが定められている。
【００２９】
図３は、スマートウォッチ１００が各消費電力モードにある場合における表示状態の例を示す正面図である。
通常モードは、スマートウォッチ１００が備える通常のインタラクティブな機能を全て実行可能なモードである。通常モードでは、メインマイコン１１が主として動作し、図３（ａ）に示すように、メインＣＰＵ１１１の制御により第１表示部１２に各種表示動作が行われる。第１表示部１２への表示内容には、時刻表示が含まれ得る。この場合の時刻表示では、時針、分針及び秒針が描画され、秒針の移動により１秒単位（第１の時間間隔）で時刻表示が更新される。また、スマートウォッチ１００では、特定の機能動作を行わせる場合に、一時的に時刻表示を行わせない状態とすることも可能である。
【００３０】
低電力モードは、通常モードでの動作中に待機状態が継続した場合などに一時的に遷移する消費電力モードであり、操作受付部１３へのユーザの入力操作が検出された場合や、通常モードで実行中の機能に係る表示内容が更新された場合などには、速やかに通常モードに復帰する。低電力モードでは、図３（ｂ）に示すように、ＣＰＵ１１１の制御により第１表示部１２に時刻表示が行われるが、通常モードにおける表示状態と比較して表示色、輝度や更新間隔などが制限されることで表示に係る電力消費が低減される。例えば、ここでは、秒針の描画を消去し、時分針の描画を所定の時間間隔、例えば、１０秒又は１分に更新させる。
なお、図３（ａ）及び図３（ｂ）の時刻表示の例として、表示画面に指針を描画したアナログ的な時計表示を示しているが、時刻の数値を表示させた通常のデジタル的な時計表示であっても良い。
【００３１】
休止モードでは、メインマイコン１１の動作を休止させ、サブマイコン２１のみを動作させる。メインマイコン１１の動作休止に伴って第１表示部１２の動作も休止され、図３（ｃ）に示すように、第２表示部２２がサブマイコン２１のサブＣＰＵ２１１の制御により時刻表示を行う。ここでは、１秒単位で時刻の表示が更新されるが、消費電力の小さい第２表示部２２及びサブＣＰＵ２１１の動作による表示に係る電力消費は、低電力モードでの第１表示部１２及びメインＣＰＵ１１１の動作による表示に係る電力消費より小さい。休止モードへは、ユーザによる所定の操作により明示的な命令が受け付けられた場合や、電源からの供給電力が不足してメインマイコン１１の安定した動作維持が困難になる場合に遷移する。また、スマートウォッチ１００では、休止モードにおいてスイッチ２３が押下されることで、通常モードへ復帰する。
【００３２】
図４は、本実施形態のスマートウォッチ１００でメインＣＰＵ１１１が実行する表示制御処理の制御手順を示すフローチャートである。
この表示制御処理は、メインＣＰＵ１１１が起動されるとともに起動され、オフされるまで継続的に実行される。
【００３３】
メインＣＰＵ１１１は、先ず、メインマイコン１１の起動処理を行う（ステップＳ１０１）。メインＣＰＵ１１１は、サブＣＰＵ２１１に制御信号を送って時刻情報を要求し、サブＣＰＵ２１１から受け取ったＲＴＣ２１２の時刻データに基づいて時刻の計数を開始する（ステップＳ１０２）。メインＣＰＵ１１１は、第１表示部１２の表示を通常モードで開始させると共に、サブＣＰＵ２１１に制御信号を主力して第２表示部２２の表示を中止させ、第２表示部２２を透過状態とさせる（ステップＳ１０３）。
【００３４】
メインＣＰＵ１１１は、操作受付部１３への入力操作の検出があったか、又は動作中の機能に関する表示更新動作に係る入力があったか否かを判別する（ステップＳ１０４）。何れもないと判別された場合には（ステップＳ１０４で“ＮＯ”）、メインＣＰＵ１１１は、基準時間以上入力操作検出又は表示更新動作の入力がないか否かを判別する（ステップＳ１０５）。基準時間以上ではないと判別された場合には（ステップＳ１０５で“ＮＯ”）、メインＣＰＵ１１１の処理は、ステップＳ１０４に戻る。基準時間以上であると判別された場合には（ステップＳ１０５で“ＹＥＳ”）、メインＣＰＵ１１１の処理は、ステップＳ１０６に移行する。
【００３５】
ステップＳ１０４の判別処理で、入力操作の検出又は表示更新動作の入力があったと判別された場合には（ステップＳ１０４で“ＹＥＳ”）、メインＣＰＵ１１１は、入力検出内容が低電力モードへの遷移命令であるか否かを判別する（ステップＳ１１５）。低電力モードへの遷移命令であると判別された場合には（ステップＳ１１５で“ＹＥＳ”）、メインＣＰＵ１１１の処理は、ステップＳ１０６へ移行する。
【００３６】
低電力モードへの遷移命令ではないと判別された場合には（ステップＳ１１５で“ＮＯ”）、メインＣＰＵ１１１は、入力検出内容が休止モードへの遷移命令であるか否かを判別する（ステップＳ１２５）。休止モードへの遷移命令ではないと判別された場合には（ステップＳ１２５で“ＮＯ”）、メインＣＰＵ１１１は、その他の検出された内容に応じた動作及び表示を行わせる（ステップＳ１２６）。それから、メインＣＰＵ１１１の処理は、ステップＳ１０４に移行する。
【００３７】
ステップＳ１０５、Ｓ１１５の処理からステップＳ１０６の処理に移行すると、メインＣＰＵ１１１は、消費電力モードを低電力モードに変更し、第１表示部１２の表示を低電力モードの表示状態に変更させる（ステップＳ１０６）。メインＣＰＵ１１１は、毎分第１表示部１２による時刻表示を更新させ（ステップＳ１０７）、また、入力操作の検出又は表示更新動作の入力があったか否かを判別する（ステップＳ１０８）。何れもなかったと判別された場合には（ステップＳ１０８で“ＮＯ”）、メインＣＰＵ１１１の処理は、ステップＳ１０７に戻る。何れかがあったと判別された場合には（ステップＳ１０８で“ＹＥＳ”）、メインＣＰＵ１１１は、消費電力モードを通常モードに変更し、第１表示部１２の表示を通常モードの表示状態に変更させる（ステップＳ１０９）。それから、メインＣＰＵ１１１の処理は、ステップＳ１０４に戻る。
【００３８】
ステップＳ１２５の判別処理で、休止モードへの遷移命令が検出されたと判別された場合には（ステップＳ１２５で“ＹＥＳ”）、メインＣＰＵ１１１は、第１表示部１２の表示動作を中止させるとともに、サブＣＰＵ２１１に制御信号を出力して当該サブＣＰＵ２１１に第２表示部２２の表示動作を開始、制御させる（ステップＳ１３１）。
【００３９】
メインＣＰＵ１１１は、サブＣＰＵ２１１及びＰＭＩＣ３１に制御信号を出力し、計数している時刻により、ＲＴＣ２１２及びＲＴＣ３１２の計数する時刻を修正させる（ステップＳ１３２）。メインＣＰＵ１１１は、メインマイコン１１の動作停止処理を実行し、メインＣＰＵ１１１を含むメインマイコン１１の動作を停止させて（ステップＳ１３３）、表示制御処理を終了する。
【００４０】
図５は、サブＣＰＵ２１１による表示制御処理の制御手順を示すフローチャートである。
この表示制御処理は、サブＣＰＵ２１１が起動されるとともに起動されて、継続的に実行される。本実施形態のスマートウォッチ１００では、サブマイコン２１は、起動後、電源が取り外されたりバッテリ切れが生じたりしない限りオフされない。
【００４１】
サブＣＰＵ２１１は、サブマイコン２１の起動処理を行う（ステップＳ２０１）。それから、サブＣＰＵ２１１は、制御動作に係る何らかの入力が検出されるまで待機する（ステップＳ２０２）。この場合の待機処理は、割込み信号の待ち受けであって、積極的に待機動作を行う必要はない。
【００４２】
割込み信号の入力があると、サブＣＰＵ２１１は、入力内容の判別を行う。サブＣＰＵ２１１は、ＲＴＣ２１２からの時刻の入力であって、且つ第２表示部２２が表示動作状態であるか否かを判別する（ステップＳ２０３）。時刻の入力であって且つ第２表示部２２が表示動作状態であると判別された場合には（ステップＳ２０３で“ＹＥＳ”）、サブＣＰＵ２１１は、第２表示部２２の時刻表示を更新する制御信号を第２表示部２２に出力する（ステップＳ２０４）。それから、サブＣＰＵ２１１の処理は、ステップＳ２０２に戻る。
【００４３】
入力内容が時刻ではないか、又は第２表示部２２が表示動作状態ではないと判別された場合には（ステップＳ２０３で“ＮＯ”）、サブＣＰＵ２１１は、メインＣＰＵ１１１から時刻情報の要求が入力されたか否かを判別する（ステップＳ２０５）。時刻情報の要求が入力されたと判別された場合には（ステップＳ２０５で“ＹＥＳ”）、サブＣＰＵ２１１は、ＲＴＣ２１２から時刻を取得し、メインＣＰＵ１１１に出力する（ステップＳ２０６）。それから、サブＣＰＵ２１１の処理は、ステップＳ２０２に戻る。
【００４４】
メインＣＰＵ１１１から時刻情報の要求が入力されたのではないと判別された場合には（ステップＳ２０５で“ＮＯ”）、サブＣＰＵ２１１は、メインＣＰＵ１１１から第２表示部２２の表示動作を開始させる要求が入力されたか否かを判別する（ステップＳ２０７）。第２表示部２２の表示動作を開始させる要求が入力されたと判別された場合には（ステップＳ２０７で“ＹＥＳ”）、サブＣＰＵ２１１は、第２表示部２２の表示動作を開始させる（ステップＳ２０８）。それから、サブＣＰＵ２１１の処理は、ステップＳ２０２に戻る。
【００４５】
メインＣＰＵ１１１から第２表示部２２の表示動作を開始させる要求が入力されたのではないと判別された場合には（ステップＳ２０７で“ＮＯ”）、サブＣＰＵ２１１は、メインＣＰＵ１１１から第２表示部２２の表示動作を終了させる要求が入力されたか否かを判別する（ステップＳ２０９）。第２表示部２２の表示動作を終了させる要求が入力されたと判別された場合には（ステップＳ２０９で“ＹＥＳ”）、サブＣＰＵ２１１は、第２表示部２２の表示動作を終了させて第２表示部２２を透過状態とさせる（ステップＳ２１０）。それから、サブＣＰＵ２１１の処理は、ステップＳ２０２に戻る。
【００４６】
メインＣＰＵ１１１から第２表示部２２の表示動作を終了させる要求が入力されたのではないと判別された場合には（ステップＳ２０９で“ＮＯ”）、サブＣＰＵ２１１は、スイッチ２３の押下操作が検出されたか否かを判別する（ステップＳ２１１）。スイッチ２３の押下操作が検出されたと判別された場合には（ステップＳ２１１で“ＹＥＳ”）、サブＣＰＵ２１１は、メインＣＰＵ１１１を起動させる動作を行う（ステップＳ２１２）。それから、サブＣＰＵ２１１の処理は、ステップＳ２０２に戻る。
スイッチ２３の押下操作が検出されていないと判別された場合には（ステップＳ２１１で“ＮＯ”）、サブＣＰＵ２１１は、他の検出された入力に応じた処理を行う（ステップＳ２１３）。それから、サブＣＰＵ２１１の処理は、ステップＳ２０２に戻る。
【００４７】
以上のように、本実施形態のスマートウォッチ１００は、メインＣＰＵ１１１と、サブＣＰＵ２１１と、第１表示部１２と、第２表示部２２と、を備え、メインＣＰＵ１１１及びサブＣＰＵ２１１が連携して、時刻表示を含む表示動作の実行中には、動作状態に応じた第１表示部１２及び第２表示部２２の少なくとも一方への時刻表示処理を実行する。
このように、２つの表示部を２つのＣＰＵが連携して制御し、動作状態に応じて何れかに時刻表示をさせることで、より柔軟且つ適切に多様な表示パターンを使い分けて制御を行うことが出来る。
【００４８】
また、メインＣＰＵ１１１は、動作状態として複数の消費電力モードの何れかに選択的に設定可能であるので、消費電力に応じて適切な表示部やＣＰＵを使い分けて動作効率を改善することが出来る。
【００４９】
また、複数の消費電力モードには、通常モード、当該通常モードよりも消費電力の小さい低電力モード、及び当該低電力モードよりも更に消費電力が小さく、メインＣＰＵ１１１を休止させる休止モードが含まれる。このように、消費電力ごとに各々動作状態を設定し、それぞれについて表示動作を行う表示部と制御動作を行うＣＰＵとを適切に組み合わせることで容易且つ適切に消費電力に応じた動作を選択することが出来る。
【００５０】
また、通常モード又は低電力モードでは、メインＣＰＵ１１１が第１表示部１２に時刻表示を行わせる制御を行い、サブＣＰＵ２１１が第２表示部２２に時刻表示を行わせない制御を行い、休止モードでは、第１表示部１２がオフされ、サブＣＰＵ２１１が第２表示部２２に時刻表示を行わせる制御を行う。
このように、メインＣＰＵ１１１をオフしている状況では第１表示部１２もオフさせて、消費電力の小さいサブＣＰＵ２１１及び第２表示部２２の組合せで表示を行わせることで、無理なく容易に低消費電力での最低限の時刻表示を行わせることが出来る。
【００５１】
また、メインＣＰＵ１１１は、第１の時計手段として自身の制御によりＲＡＭ１１２を用いて時刻を計数し、サブマイコン２１は、メインマイコン１１でのメインＣＰＵ１１１の制御による時刻の計数とは別個に時刻を計数するＲＴＣ２１２を備え、メインＣＰＵ１１１は、自身で計数された時刻を第１表示部１２に表示させ、サブＣＰＵ２１１は、ＲＴＣ２１２により計数された時刻を第２表示部２２に表示させる。
このように、消費電力モードに応じてメインマイコン１１での計時動作及び時刻表示動作と、サブマイコン２１での計時動作及び時刻表示動作とが分離されるので、スマートウォッチ１００では、２つのマイコンの動作切り替えにより容易且つ適切に消費電力に応じた計時及び時刻表示を行わせることが出来る。
【００５２】
また、通常モードから低電力モード又は休止モードに遷移する場合、メインＣＰＵ１１１は、第１の時計手段が計数する時刻に基づいてＲＴＣ２１２の時刻を修正するので、メインＣＰＵ１１１による時刻の計数動作が停止される場合でも、ＲＴＣ２１２のずれを低減させて、暫くの間、容易にメインＣＰＵ１１１による計数と同程度の時刻精度での時刻表示を行わせることが出来る。
【００５３】
また、同様に、通常モードから低電力モード又は休止モードに遷移する場合、メインＣＰＵ１１１は、第１の時計手段が計数する時刻に基づいてＲＴＣ３１２の時刻を修正する。これにより、ＲＴＣ２１２と同様にＲＴＣ３１２の計数時刻のずれを低減し、暫くの間、容易にメインＣＰＵ１１１による計数時刻と同程度の時刻精度で時刻表示を行わせることが出来る。
【００５４】
また、第２表示部２２の表示画面２２ａは、第１表示部１２の表示画面１２ａの上部に積層され、時刻を表示しない状態では第１表示部１２による表示内容を透過させるように制御される。従って、見かけ上単一の表示画面４内に、消費電力モードに応じた適切な表示部を使い分けて何れかの表示を行わせることで、ユーザに違和感なく多様な表示を適切に使い分けて行わせることが出来る。
【００５５】
また、第１表示部１２は、カラー表示が可能な液晶表示画面を有する。即ち、少なくとも通常モードでは、カラー表示を用いて多様な表示を行うことが可能な一方、低消費電力で動作させる場合には、そもそもこのようなカラー液晶表示画面を用いずに第２表示部２２に表示を行わせる駆動制御を行うことで、効率良く電力消費量を低減させることが出来る。
【００５６】
また、上述の時刻表示制御方法で複数の表示部の表示制御を複数のＣＰＵにより行うことで、容易且つ適切に多様な表示の使い分け制御を行うことが出来る。
【００５７】
［変形例１］
次に、表示制御処理の変形例１について説明する。
この変形例１の表示制御処理では、メインＣＰＵ１１１、無線通信コントローラ１４（通信手段）及び衛星電波受信モジュール１５（受信手段）が時刻取得手段を構成し、外部からメインＣＰＵ１１１による計数時刻やＲＴＣ２１２、ＲＴＣ３１２の計数時刻よりも精度の高い時刻情報を取得して、計数時刻の補正を行う。
図６は、メインＣＰＵ１１１による変形例１の表示制御処理の制御手順を示すフローチャートである。
この表示制御処理は、上記実施形態の表示制御処理と比較して、ステップＳ１５１〜Ｓ１５３の処理が追加され、また、ステップＳ１０７の処理の代わりにステップＳ１０７ａ〜Ｓ１０７ｃの処理が行われる点を除いて同一であり、同一の処理内容には同一の符号を付して説明を省略する。
【００５８】
ステップＳ１０３の処理が実行された後、メインＣＰＵ１１１は、無線通信コントローラ１４を介して外部機器、例えば、スマートフォンと通信接続を行って当該外部機器から時刻情報を取得して、計数している時刻を修正する（ステップＳ１５１）。メインＣＰＵ１１１は、時刻情報の取得に失敗したか否かを判別し（ステップＳ１５２）、失敗したと判別された場合には（ステップＳ１５２で“ＹＥＳ”）、メインＣＰＵ１１１は、更に衛星電波受信モジュール１５を動作させてＧＰＳ衛星などの測位衛星から時刻情報を取得し、計数している時刻を修正する（ステップＳ１５３）。それから、メインＣＰＵ１１１の処理は、ステップＳ１０４に移行する。なお、メインＣＰＵ１１１は、取得された時刻情報に基づいてＲＴＣ３１２の時刻を併せて修正しても良い。また、メインＣＰＵ１１１は、当該取得された時刻をサブＣＰＵ２１１に送り、サブＣＰＵ２１１にＲＴＣ２１２やＲＴＣ３１２の計数する時刻を修正させても良い。
失敗していないと判別された場合には（ステップＳ１５２で“ＮＯ”）、メインＣＰＵ１１１の処理は、ステップＳ１０４に移行する。
【００５９】
また、ステップＳ１０６の処理で低電力モードに遷移すると、メインＣＰＵ１１１は、計数している時刻を記憶手段としての記憶部１１３に記憶させる（ステップＳ１０７ａ）。これに伴って、メインＣＰＵ１１１は、時刻の計数動作を中止する。メインＣＰＵ１１１は、入力（呼び出し）待ちの待機状態に入り、ＰＭＩＣ３１のカウンタ３１１により所定の時間間隔ごと、ここでは、例えば、１分ごとに呼び出されると、記憶部１１３に記憶させている時刻にこの所定間隔、即ち、１分を加算して、当該時刻で記憶部１１３に記憶させる時刻を更新する（ステップＳ１０７ｂ）。メインＣＰＵ１１１は、記憶部１１３に記憶させている時刻に合わせて第１表示部１２に表示させている時刻を更新させ（ステップＳ１０７ｃ）、それから、処理をステップＳ１０８に移行させる。
【００６０】
図７は、サブＣＰＵ２１１による変形例１の表示制御処理の制御手順を示すフローチャートである。
この表示制御処理では、上記実施の形態の表示制御処理に対してステップＳ２５１、Ｓ２５２の処理が追加されている点のみが異なり、同一の処理には同一の符号を付して説明を省略する。
【００６１】
ステップＳ２１１の判別処理で“ＮＯ”に分岐すると、サブＣＰＵ２１１は、当該サブＣＰＵ２１１の動作状態に係る消費電力モードの変更条件が満たされたか否かを判別する（ステップＳ２５１）。満たされていないと判別された場合には（ステップＳ２５１で“ＮＯ”）、サブＣＰＵ２１１の処理は、ステップＳ２１３に移行する。満たされたと判別された場合（ステップＳ２５１で“ＹＥＳ”）には、サブＣＰＵ２１１は、ＲＴＣ２１２からサブＣＰＵ２１１に時刻情報を入力させる時間間隔（第２の時間間隔）の設定を変更する（ステップＳ２５２）。それから、サブＣＰＵ２１１の処理は、ステップＳ２０２に戻る。
【００６２】
この変形例１では、サブＣＰＵ２１１について、通常動作モード（第２通常モード）と低消費電力モード（第２低電力モード）の２つのモードが設定され、通常動作モードでは、第２表示部２２に表示させる時刻が１秒単位で更新され、低消費電力モードでは、第２表示部２２に表示させる時刻が１分単位で更新される。即ち、ＲＴＣ２１２からサブＣＰＵ２１１に対するステップＳ２０３での時刻の入力は、通常動作モードでは１秒ごとに設定され、低消費電力モードでは、１分ごとに（即ち、通常動作モードより時間間隔を広く）設定される。また、これに対応して、図３（ｄ）に示すように、低消費電力モードの場合には、第２表示部２２に表示させる時刻は、分桁までとされて、秒桁の値の表示が消去される。
なお、このサブＣＰＵ２１１の動作モードは、上述の消費電力モードとは別個に定められるものであり、例えば、通常モードにおいてサブＣＰＵ２１１を低消費電力モードに遷移させることも出来る。
【００６３】
以上のように、変形例１の表示制御処理を実行するスマートウォッチ１００は、所定の時間間隔、ここでは、１分間隔を計数するカウンタ３１１を備え、通常モードでは、メインＣＰＵ１１１が自身で計数した時刻を所定の時間間隔より短い第１の時間間隔、ここでは、１秒間隔で更新しながら第１表示部１２に表示させ、低電力モードでは、メインＣＰＵ１１１は、カウンタ３１１により所定の時間間隔ごとに呼び出されて第１表示部１２に時刻を表示させる。
従って、低電力モードにおいて、メインＣＰＵ１１１の動作を間欠的にすることが出来、その間隔も広く定めることで、効果的に電力消費量を低減させることが出来る。
【００６４】
また、記憶部１１３を備え、メインＣＰＵ１１１は、通常モードから低電力モードへ遷移する場合に、メインＣＰＵ１１１自身により計数された時刻を記憶部１１３に記憶させて、当該メインＣＰＵ１１１による時刻の計数を中止させ、低電力モードにおいてカウンタ３１１により呼び出されると、記憶部１１３に記憶した時刻を読み出して当該時刻に所定の時間間隔を加算した時刻を算出し、算出された時刻を第１表示部１２に表示させる。
このように、メインＣＰＵ１１１による時刻の計数自体を中止するとともに、メインＣＰＵ１１１と別個に動作するカウンタ３１１の計数動作で適宜間欠的に呼び出されて必要な時刻情報を取得し、第１表示部１２の表示を更新するので、メインＣＰＵ１１１の演算処理量を大きく低減させることが出来る。
【００６５】
また、サブＣＰＵ２１１は、動作状態として複数の消費電力モードの何れかに選択的に設定可能であり、複数の電力消費モードには、サブＣＰＵ２１１を通常動作させる通常動作モードと、サブＣＰＵ２１１を通常動作モードよりも低消費電力で動作させる低消費電力モードと、が含まれる。このように、状況に応じてサブＣＰＵ２１１の消費電力も調整することが出来るので、より効率良く適切な表示制御を行うことが出来る。
【００６６】
また、サブマイコン２１には、ＲＴＣ２１２が設けられ、ＲＴＣ２１２は、第２の時間間隔（１秒や１分など）を計数するカウンタ（第２のカウント手段）を構成し、サブＣＰＵ２１１は、ＲＴＣ２１２のカウンタにより第２の時間間隔ごとに呼び出されて当該ＲＴＣ２１２の計数する時刻を取得し、サブＣＰＵ２１１の低消費電力モードでは、通常動作モードよりも第２の時間間隔を広げて設定する。
このように、時刻情報の取得間隔及び表示の更新間隔を広げることで、動作状態に応じて必要な時刻情報を必要な頻度で適切な電力消費量に調整しながら柔軟に示すことが出来る。
【００６７】
また、メインＣＰＵ１１１による計時動作よりも精度の高い時刻情報を外部から取得する時刻取得手段を備え、メインＣＰＵ１１１は、この時刻取得手段により取得された時刻に基づいてメインＣＰＵ１１１が計数する時刻を補正する。これにより、メインＣＰＵ１１１が計数する時刻のずれを適宜解消し、正確な時刻の計数や表示を継続させることが出来る。
【００６８】
また、メインＣＰＵ１１１は、低電力モード又は休止モードから通常モードに遷移した場合に、時刻取得手段により時刻を取得させ、取得された時刻に基づいてメインＣＰＵ１１１が計数する時刻を補正するので、スマートウォッチ１００において通常モードでの動作を開始させた当初から適切に正確な時刻の計数及び表示を行わせることが出来る。
【００６９】
また、外部と通信を行う無線通信コントローラ１４を備え、メインＣＰＵ１１１は、当該無線通信コントローラ１４により外部、特に、スマートフォンや携帯電話などの携帯機器から時刻情報を取得するので、スマートウォッチ１００は、身近な外部機器から容易且つ速やかに正確な時刻情報を取得して正確な時刻の計数及び表示を行うことが出来る。
【００７０】
また、時刻情報を含む測位衛星からの衛星電波を受信して時刻情報を取得する衛星電波受信モジュール１５を備え、メインＣＰＵ１１１は、この衛星電波受信モジュール１５により得られた時刻情報を取得するので、スマートウォッチ１００では、自身で電波を送信したり外部機器と通信接続を行ったりしなくても正確な時刻情報を取得することが出来る。また、特に、測位衛星からの電波は、地球上の世界各地の屋外で受信可能であるので、通信電波の送受信可能エリアなどを考慮せずに世界の広い範囲で正確な時刻情報を取得することが出来る。
【００７１】
また、サブＣＰＵ２１１は、時刻取得手段により取得された時刻に基づいてＲＴＣ２１２の計数する時刻を補正することとすることが出来る。これにより、メインＣＰＵ１１１が時刻を計数する場合だけではなく、ＲＴＣ２１２の計数する時刻における正確な時刻からのずれを小さく抑えて、休止モード時の時刻の計数や表示の精度を向上させても良い。
【００７２】
また、同様に、サブＣＰＵ２１１は、時刻取得手段により取得された時刻に基づいてＲＴＣ３１２の計数する時刻を補正することとすることが出来る。これにより、ＲＴＣ３１２の計数する時刻における正確な時刻からのずれも小さく抑えることが出来る。
【００７３】
また、メインＣＰＵ１１１による通常モードでの時刻表示の更新に係る第１の時間間隔は１秒であり、低電力モードでの時刻表示の更新に係る所定の時間間隔は１分である。このように、ユーザによるスマートウォッチ１００の使用があまりアクティブで無い場合には、表示の更新間隔を広げてもユーザに大きな問題を生じさせず、表示状態の違いをユーザに示すことが出来、更に、電力消費を効果的に低減させることが出来る。
【００７４】
［変形例２］
次に、表示制御処理の変形例２について説明する。
図８は、メインＣＰＵ１１１による変形例２の表示制御処理の制御手順を示すフローチャートである。
この変形例２の表示制御処理では、変形例１の表示制御処理におけるステップＳ１０７ａ、Ｓ１０７ｂの処理の代わりにステップＳ１０７ｄの処理が実行される。その他の処理内容は変形例１と変形例２とで同一であり、同一の処理には同一の符号を付して説明を省略する。
【００７５】
ステップＳ１０６の処理で低電力モードに遷移すると、メインＣＰＵ１１１は、現在時刻の計数を中止するとともに入力（呼び出し）待ちの待機状態に入り、ＰＭＩＣ３１のカウンタ３１１により所定の時間間隔ごとに呼び出されると、メインＣＰＵ１１１は、当該ＰＭＩＣ３１のＲＴＣ３１２から現在の時刻を取得する（ステップＳ１０７ｄ）。それから、メインＣＰＵ１１１の処理は、ステップＳ１０７ｃに移行する。
なお、ＰＭＩＣ３１のＲＴＣ３１２が直接所定の時間間隔ごとに時刻情報をメインＣＰＵ１１１に送ることで呼び出し動作を行っても良い。
【００７６】
以上のように、変形例２の表示制御処理を実行するスマートウォッチ１００では、メインＣＰＵ１１１が計数する時刻やＲＴＣ２１２とは別個に時刻を計数するＲＴＣ３１２をＰＭＩＣ３１に備え、低電力モードでは、メインＣＰＵ１１１は、当該メインＣＰＵ１１１自身による時刻の計数を中止させ、カウンタ３１１により呼び出されると、ＲＴＣ３１２から時刻を取得して第１表示部１２に表示させる。これにより、メインＣＰＵ１１１の処理動作を大きく低減させて電力消費を減少させることが出来る。また、メインマイコン１１やサブマイコン２１の動作とは別個に動作するＲＴＣ３１２から間欠的に必要なタイミングでのみ時刻情報を取得して、第１表示部１２の時刻表示を更新させるので、必要以上にメインマイコン１１やサブマイコン２１を動作させる必要が無い。
【００７７】
また、ＲＴＣ３１２は、リアルタイムクロックであるので、スマートウォッチ１００では、周知のＩＣチップなどを用いてメインマイコン１１やサブマイコン２１の動作とは関係なく、低消費電力で効率良く時刻の計数を行わせることが出来る。
【００７８】
［変形例３］
次に、表示制御処理の変形例３について説明する。
この変形例３の表示制御処理では、低電力モードにおいて、メインＣＰＵ１１１ではなくサブＣＰＵ２１１が第１表示部１２の表示制御を行う。低電力モードでの第１表示部１２への表示内容自体は上記実施の形態や変形例１、２と変わらないが、表示される時刻は、ＲＴＣ２１２の計数する時刻に基づいて更新される。
【００７９】
図９は、メインＣＰＵ１１１による変形例３の表示制御処理の制御手順を示すフローチャートである。
この変形例３の表示制御処理では、変形例１の表示制御処理におけるステップＳ１０７ａ〜Ｓ１０７ｃの処理が削除され、また、ステップＳ１０６、Ｓ１０９の処理の代わりにそれぞれステップＳ１０６ｅ、Ｓ１０９ｅの処理が行われる。その他の処理内容については、変形例２と変形例３の表示制御処理で同一であり、同一の処理には同一の符号を付して説明を省略する。
【００８０】
ステップＳ１０５の判別処理で“ＹＥＳ”に分岐すると、メインＣＰＵ１１１は、低電力モードに遷移するための各種動作を行う。このときに、メインＣＰＵ１１１は、第１表示部１２の表示制御を中止し、また、時刻の計数を中止するとともに、低電力モードに遷移した旨をサブＣＰＵ２１１に通知する（ステップＳ１０６ｅ）。それから、メインＣＰＵ１１１の処理は、ステップＳ１０８に移行して、操作入力が検出されるか、又はメインＣＰＵ１１１が制御する所定の機能動作部の動作に係る表示内容の更新入力があったと検出されるまで、ステップＳ１０８の処理を繰り返す、又は単純に待機する。
【００８１】
ステップＳ１０８の処理で“ＹＥＳ”に分岐すると、メインＣＰＵ１１１は、通常モードに遷移するための各種動作を行う。また、このとき、メインＣＰＵ１１１は、サブＣＰＵ２１１に通常モードへの復帰を示す通知を送るとともに、ＲＴＣ２１２の時刻を取得して時刻の計数を再開する。また、メインＣＰＵ１１１は、第１表示部１２の表示制御動作を再開する（ステップＳ１０９ｅ）。それから、メインＣＰＵ１１１の処理はステップＳ１０４に戻る。
【００８２】
図１０は、サブＣＰＵ２１１による変形例３の表示制御処理の制御手順を示すフローチャートである。
この表示制御処理は、変形例１の表示制御処理に対してステップＳ２５１、Ｓ２５２の処理の代わりにステップＳ２６１〜Ｓ２６４の処理が追加され、また、ステップＳ２０３の処理の代わりにステップＳ２０３ｆの処理が実行される点を除いて変形例１の表示制御処理と同一であり、同一の処理内容には同一の符号を付して説明を省略する。
【００８３】
ステップＳ２０２の処理で入力が検出されてステップＳ２０３ｆの処理に移行すると、サブＣＰＵ２１１は、入力内容が時刻情報であり、且つサブＣＰＵ２１１が第１表示部１２又は第２表示部２２の何れかを制御する状態であるか否かを判別する（ステップＳ２０３ｆ）。時刻情報が入力されて、且つ第１表示部１２を制御する状態（即ち、低電力モード）又は第２表示部２２を制御する状態（即ち、休止モード）であると判別された場合には（ステップＳ２０３ｆで“ＹＥＳ”）、サブＣＰＵ２１１は、制御中の表示部における時刻表示を更新する（ステップＳ２０４）。それから、サブＣＰＵ２１１の処理は、ステップＳ２０２に戻る。時刻情報の取得ではないか、又はサブＣＰＵ２１１が第１表示部１２及び第２表示部２２の何れも制御していないと判別された場合には（ステップＳ２０３ｆで“ＮＯ”）、サブＣＰＵ２１１の処理は、ステップＳ２０５に移行する。
【００８４】
また、ステップＳ２１１の判別処理で“ＮＯ”に分岐した場合、サブＣＰＵ２１１は、メインＣＰＵ１１１から低電力モードへの遷移通知を取得したか否かを判別する（ステップＳ２６１）。低電力モードへの遷移通知を取得したと判別された場合には（ステップＳ２６１で“ＹＥＳ”）、サブＣＰＵ２１１は、第１表示部１２の表示制御を開始する（ステップＳ２６２）。それから、サブＣＰＵ２１１の処理は、ステップＳ２０２に戻る。
【００８５】
低電力モードへの遷移通知を取得したのではないと判別された場合には（ステップＳ２６１で“ＮＯ”）、サブＣＰＵ２１１は、メインＣＰＵ１１１から通常モードへの遷移通知を取得したか否かを判別する（ステップＳ２６３）。通常モードへの遷移通知を取得したと判別された場合には（ステップＳ２６３で“ＹＥＳ”）、サブＣＰＵ２１１は、第１表示部１２の表示制御を終了する（ステップＳ２６４）。それから、サブＣＰＵ２１１の処理は、ステップＳ２０２に戻る。
通常モードへの遷移通知を取得したのではないと判別された場合には（ステップＳ２６３で“ＮＯ”）、サブＣＰＵ２１１の処理は、ステップＳ２１３に移行する。
【００８６】
以上のように、変形例３の表示制御処理では、通常モードでは、メインＣＰＵ１１１が第１表示部１２に時刻表示を行わせる制御を行い、サブＣＰＵ２１１が第２表示部２２に時刻表示を行わせない制御を行い、低電力モードでは、サブＣＰＵ２１１が第１表示部１２に時刻表示を行わせるとともに第２表示部２２に時刻表示を行わせない制御を行い、休止モードでは、第１表示部１２がオフされ、サブＣＰＵ２１１が第２表示部２２に時刻表示を行わせる制御を行う。
このように、メインＣＰＵ１１１と第１表示部１２を用いた通常モードに対し、低電力モードではサブＣＰＵ２１１を用いて電力消費を低減させ、休止モードでは更に第２表示部２２を用いることで電力消費を低減させるので、消費電力に応じて容易且つ簡単に制御パターンを切り替えて効率良く適切に多様な表示を使い分けたスマートウォッチ１００を得ることが出来る。
【００８７】
また、通常モードでは、メインＣＰＵ１１１が自身により計数された時刻を第１表示部１２に表示させ、低電力モードでは、サブＣＰＵ２１１がＲＴＣ２１２により計数された時刻を第１表示部１２に表示させ、休止モードでは、サブＣＰＵ２１１がＲＴＣ２１２により計数された時刻を第２表示部２２に表示させる。
このように、時刻の計数に係る処理負荷と、時刻の表示に係る処理負荷とを段階的に低減させていくことで、スマートウォッチ１００では、効率良く適切に消費電力を切り替えながら当該消費電力に応じた適切な時刻表示を行わせることが出来る。
【００８８】
なお、本発明は、上記実施の形態に限られるものではなく、様々な変更が可能である。
例えば、上記実施の形態では、第１表示部１２の表示画面１２ａ上に第２表示部２２の表示画面２２ａが積層される場合について説明したが、順番が逆であっても良いし、或いは、２つの表示画面が並列に配列されていても良い。また、表示画面は、液晶表示によるものに限られず、有機ＥＬ（Electro-Luminescent）ディスプレイなどが用いられても良い。
【００８９】
また、上記実施の形態では、第１表示部１２及び第２表示部２２が各々一つずつであるとして説明したが、複数の第１表示部１２（表示画面１２ａ）や複数の第２表示部２２（表示画面２２ａ）が設けられていても良い。
【００９０】
また、受信手段としての衛星電波受信モジュール１５は、ＧＰＳ衛星からの電波を受信して時刻情報の取得を可能として説明したが、ＧＬＯＮＡＳＳなど他の測位衛星からの電波を受信して時刻情報を取得しても良い。また、衛星電波の受信に限らず、長波長帯の標準電波を受信して時刻情報が取得可能な構成を有していても良い。
【００９１】
また、衛星電波受信モジュール１５を用いた時刻情報の取得が無線通信コントローラ１４を介した時刻情報の取得より先になされても良いし、或いは、衛星電波受信モジュール１５のみを用いて正確な時刻情報の取得が行われても良い。
【００９２】
また、上記実施の形態では、衛星電波受信モジュール１５はメインマイコン１１に接続され、メインマイコン１１の制御において時刻情報の取得を行ったが、衛星電波受信モジュール１５をサブマイコン２１に接続し、サブマイコン２１の制御において時刻情報の取得が行われても良い。
【００９３】
また、上記実施の形態では、メインマイコン１１の起動後にサブＣＰＵ２１１からＲＴＣ２１２の日時を取得し、その後、メインＣＰＵ１１１がスマートフォンやＧＰＳ衛星から精度の高い時刻情報を取得して、ＲＴＣ２１２、ＲＴＣ３１２の計数する時刻を修正するようにしたが、メインマイコン１１の起動直後に先ずスマートフォンやＧＰＳ衛星から精度の高い時刻情報を取得し、その後にＲＴＣ２１２、ＲＴＣ３１２の計数する時刻を修正しても良い。
【００９４】
また、上記実施の形態では、サブマイコン２１やＰＭＩＣ３１がそれぞれＲＴＣ２１２、３１２を有することとして説明したが、共通のＲＴＣが用いられても良い。また、サブマイコン２１では、ＲＴＣを用いずにサブＣＰＵ２１１が時刻の計数を行っても良い。
【００９５】
また、上記実施の形態では、ＲＴＣ３１２は、ＰＭＩＣ３１が有するものとしたが、メインマイコン１１が有していても良い。
【００９６】
また、ＲＴＣ２１２、３１２の時刻修正は、サブＣＰＵ２１１が実行する場合に限られず、メインＣＰＵ１１１が実行しても良い。また、メインＣＰＵ１１１が一度自身の計数する時刻を修正した後、当該修正した時刻に基づいてＲＴＣ２１２、３１２の時刻の修正が行われても良い。また、サブＣＰＵ２１１がメインＣＰＵ１１１と独立に外部から時刻情報を取得可能なように、無線通信コントローラ１４や衛星電波受信モジュール１５がサブマイコン２１に接続されてサブＣＰＵ２１１の制御により動作が可能に構成されても良い。
【００９７】
また、上記実施の形態及び各変形例で示した表示部の選択及び表示制御は、互いに矛盾しない限りにおいて各消費電力モードに対応して任意に組み合わせて定められて良い。また、消費電力モードは、上述の３通りだけではなく、これらの３通りの中間に当たるものが更に含まれていても良い。
【００９８】
また、上述の消費電力モードの遷移動作やその変化に応じた表示制御などは、全てプロセッサとしてのメインＣＰＵ１１１及びサブＣＰＵ２１１が連携して行われることとして示したが、これらの制御動作は、その一部などが専用の論理回路などを用いて行われても良い。
【００９９】
また、スマートウォッチ１００が上述の消費電力モードのうちどの消費電力モードにあるかは、メインＣＰＵ１１１だけが把握しても良いし、メインＣＰＵ１１１とサブＣＰＵ２１１の両方が把握しても良い。
【０１００】
また、上記実施の形態では、電子機器としてスマートウォッチを例に挙げて説明したが、これに限られるものではない。他の表示端末全般、特に、携帯型のものや身体装着型のものなどに対して本発明を好ましく適用することが出来る。
その他、上記実施の形態で示した構成、制御手順や表示例などの具体的な細部は、本発明の趣旨を逸脱しない範囲において適宜変更可能である。
【０１０１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１０２】
［付記］
＜請求項１＞
第１のプロセッサと、
第２のプロセッサと、
第１の表示部と、
第２の表示部と、
を備え、
前記第１のプロセッサ及び前記第２のプロセッサが連携して、時刻表示を含む表示動作の実行中には、動作状態に応じた前記第１の表示部及び前記第２の表示部の少なくとも一方への時刻表示処理を実行する
ことを特徴とする電子機器。
＜請求項２＞
前記第１のプロセッサは、前記動作状態として複数の消費電力モードの何れかに選択的に設定可能であることを特徴とする請求項１記載の電子機器。
＜請求項３＞
前記複数の消費電力モードには、通常モード、当該通常モードよりも消費電力の小さい低電力モード、及び当該低電力モードよりも更に消費電力が小さく、前記第１のプロセッサを休止させる休止モードが含まれることを特徴とする請求項２記載の電子機器。
＜請求項４＞
前記通常モード又は前記低電力モードでは、前記第１のプロセッサが前記第１の表示部に時刻表示を行わせる制御を行い、前記第２のプロセッサが前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする請求項３記載の電子機器。
＜請求項５＞
前記通常モードでは、前記第１のプロセッサが前記第１の表示部に時刻表示を行わせる制御を行い、前記第２のプロセッサが前記第２の表示部に時刻表示を行わせない制御を行い、
前記低電力モードでは、前記第２のプロセッサが前記第１の表示部に時刻表示を行わせるとともに前記第２の表示部に時刻表示を行わせない制御を行い、
前記休止モードでは、前記第１の表示部がオフされ、前記第２のプロセッサが前記第２の表示部に時刻表示を行わせる制御を行う
ことを特徴とする請求項３記載の電子機器。
＜請求項６＞
前記第１のプロセッサの制御により時刻を計数する第１の時計手段と、
前記第１の時計手段とは別個に時刻を計数する第２の時計手段と、
を備え、
前記第１のプロセッサは、前記第１の時計手段により計数された時刻を前記第１の表示部に表示させ、
前記第２のプロセッサは、前記第２の時計手段により計数された時刻を前記第２の表示部に表示させる
ことを特徴とする請求項４記載の電子機器。
＜請求項７＞
前記第１のプロセッサの制御により時刻を計数する第１の時計手段と、
前記第１の時計手段とは別個に時刻を計数する第２の時計手段と、
を備え、
前記通常モードでは、前記第１のプロセッサが前記第１の時計手段により計数された時刻を前記第１の表示部に表示させ、
前記低電力モードでは、前記第２のプロセッサが前記第２の時計手段により計数された時刻を前記第１の表示部に表示させ、
前記休止モードでは、前記第２のプロセッサが前記第２の時計手段により計数された時刻を前記第２の表示部に表示させる
ことを特徴とする請求項５記載の電子機器。
＜請求項８＞
所定の時間間隔を計数する第１のカウント手段を備え、
前記通常モードでは、前記第１のプロセッサが前記第１の時計手段により計数された時刻を前記所定の時間間隔より短い第１の時間間隔で更新しながら前記第１の表示部に表示させ、
前記低電力モードでは、前記第１のプロセッサは、前記第１のカウント手段により前記所定の時間間隔ごとに呼び出されて前記第１の表示部に時刻を表示させる
ことを特徴とする請求項６記載の電子機器。
＜請求項９＞
記憶手段を備え、
前記第１のプロセッサは、
前記通常モードから前記低電力モードへ遷移する場合に、前記第１の時計手段により計数された時刻を前記記憶手段に記憶させて、前記第１の時計手段による時刻の計数を中止させ、
前記低電力モードにおいて前記第１のカウント手段により呼び出されると、前記記憶手段に記憶した時刻を読み出して当該時刻に前記所定の時間間隔を加算した時刻を算出し、算出された時刻を前記第１の表示部に表示させる
ことを特徴とする請求項８記載の電子機器。
＜請求項１０＞
前記第１の時計手段及び前記第２の時計手段とは別個に時刻を計数する第３の時計手段を備え、
前記低電力モードでは、前記第１のプロセッサは、前記第１の時計手段による時刻の計数を中止させ、前記第１のカウント手段により呼び出されると、前記第３の時計手段から時刻を取得して前記第１の表示部に表示させる
ことを特徴とする請求項８記載の電子機器。
＜請求項１１＞
前記第２のプロセッサは、前記動作状態として複数の消費電力モードの何れかに選択的に設定可能であり、
前記複数の電力消費モードには、
前記第２のプロセッサを通常動作させる第２通常モードと、
前記第２のプロセッサを前記第２通常モードよりも低消費電力で動作させる第２低電力モードと、
が含まれることを特徴とする請求項６〜１０の何れか一項に記載の電子機器。
＜請求項１２＞
第２の時間間隔を計数する第２のカウント手段を備え、
前記第２の時計手段は、リアルタイムクロックであり、
前記第２のプロセッサは、前記第２のカウント手段により前記第２の時間間隔ごとに呼び出されて前記第２の時計手段の時刻を取得し、前記第２低電力モードでは、前記第２通常モードよりも前記第２の時間間隔を広げて設定する
ことを特徴とする請求項１１記載の電子機器。
＜請求項１３＞
外部から時刻情報を取得する時刻取得手段を備え、
前記第１のプロセッサは、前記時刻取得手段により取得された時刻に基づいて前記第１の時計手段の計数する時刻を補正する
ことを特徴とする請求項６〜１２の何れか一項に記載の電子機器。
＜請求項１４＞
前記第１のプロセッサは、前記低電力モード又は前記休止モードから前記通常モードに遷移した場合に、前記時刻取得手段により時刻を取得させ、取得された時刻に基づいて前記第１の時計手段の計数する時刻を補正する
ことを特徴とする請求項１３記載の電子機器。
＜請求項１５＞
外部と通信を行う通信手段を備え、
前記時刻取得手段は、当該通信手段により外部から時刻情報を取得する
ことを特徴とする請求項１３又は１４記載の電子機器。
＜請求項１６＞
時刻情報を含む電波を受信して時刻情報を取得する受信手段を備え、
前記時刻取得手段は、前記受信手段により取得された時刻情報を取得する
ことを特徴とする請求項１３又は１４記載の電子機器。
＜請求項１７＞
前記通常モードから前記低電力モード又は前記休止モードに遷移する場合、前記第１のプロセッサは、前記第１の時計手段が計数する時刻に基づいて前記第２の時計手段の時刻を修正することを特徴とする請求項６〜１６の何れか一項に記載の電子機器。
＜請求項１８＞
前記通常モードから前記低電力モード又は前記休止モードに遷移する場合、前記第１のプロセッサは、前記第１の時計手段が計数する時刻に基づいて前記第３の時計手段の時刻を修正することを特徴とする請求項１０記載の電子機器。
＜請求項１９＞
外部から時刻情報を取得する時刻取得手段を備え、
前記第２のプロセッサは、前記時刻取得手段により取得された時刻に基づいて前記第２の時計手段の計数する時刻を補正する
ことを特徴とする請求項６〜１２の何れか一項に記載の電子機器。
＜請求項２０＞
外部から時刻情報を取得する時刻取得手段を備え、
前記第２のプロセッサは、前記時刻取得手段により取得された時刻に基づいて前記第３の時計手段の計数する時刻を補正する
ことを特徴とする請求項１０記載の電子機器。
＜請求項２１＞
前記第１の時間間隔は１秒であり、
前記所定の時間間隔は１分である
ことを特徴とする請求項８〜１０、１８、２０の何れか一項に記載の電子機器。
＜請求項２２＞
前記第３の時計手段は、リアルタイムクロックであることを特徴とする請求項１０、１８、２０の何れか一項に記載の電子機器。
＜請求項２３＞
前記第２の表示部は、前記第１の表示部の上部に積層され、時刻を表示しない状態では前記第１の表示部の表示内容を透過させるように制御されることを特徴とする請求項１〜２２の何れか一項に記載の電子機器。
＜請求項２４＞
前記第１の表示部は、カラー表示が可能な液晶表示画面を有することを特徴とする請求項１〜２３の何れか一項に記載の電子機器。
＜請求項２５＞
第１のプロセッサと、第２のプロセッサと、第１の表示部と、第２の表示部と、を備える電子機器の表示制御方法であって、
前記第１のプロセッサ及び前記第２のプロセッサが連携して、時刻表示を含む表示動作の実行中には、動作状態に応じた前記第１の表示部及び前記第２の表示部の少なくとも一方への時刻表示処理を実行する
ことを特徴とする時刻表示制御方法。
【符号の説明】
【０１０３】
１     本体部
２     バンド
３     フレーム
４     表示画面
１１   メインマイコン
１１１ メインＣＰＵ
１１２ ＲＡＭ
１１３ 記憶部
１２   表示部
１２ａ 表示画面
１３   操作受付部
１４   無線通信コントローラ
１５   衛星電波受信モジュール
２１   サブマイコン
２１１ サブＣＰＵ
２１２ ＲＴＣ
２２   表示部
２２ａ 表示画面
２３   スイッチ
１００ スマートウォッチ
３１   ＰＭＩＣ
３１１ カウンタ
３１２ ＲＴＣ
Ｂ１   ボタンスイッチ 
【図１】
2019197064.tif 000003
【図２】
2019197064.tif 000004
【図３】
2019197064.tif 000005
【図４】
2019197064.tif 000006
【図５】
2019197064.tif 000007
【図６】
2019197064.tif 000008
【図７】
2019197064.tif 000009
【図８】
2019197064.tif 000010
【図９】
2019197064.tif 000011
【図１０】
2019197064.tif 000012
【手続補正書】
【提出日】令和1年7月25日(2019.7.25)
【手続補正２】
【補正対象書類名】明細書
【補正対象項目名】０００１
【補正方法】変更
【補正の内容】
【０００１】
この発明は、表示部を有する電子機器に関する。
【手続補正３】
【補正対象書類名】明細書
【補正対象項目名】０００５
【補正方法】変更
【補正の内容】
【０００５】
この発明の目的は、多様な時刻表示をより適切に使い分けることの可能な電子機器を提供することにある。
【手続補正４】
【補正対象書類名】明細書
【補正対象項目名】０００６
【補正方法】変更
【補正の内容】
【０００６】
上記目的を達成するため、本発明は、
第１のプロセッサと、
第２のプロセッサと、
第１の表示部と、
第２の表示部と、
を備え、
前記第１のプロセッサ及び前記第２のプロセッサが連携して、時刻表示を含む表示動作の実行中には、動作状態に応じて、前記第１の表示部及び前記第２の表示部の少なくとも一方への時刻表示処理を実行し、
前記第２の表示部は、前記第１の表示部の上部に配置され、時刻を表示しない状態では前記第１の表示部の表示内容を透過させるように制御される
ことを特徴とする電子機器である。
【手続補正５】
【補正対象書類名】特許請求の範囲
【補正対象項目名】全文
【補正方法】変更
【補正の内容】
【特許請求の範囲】
【請求項１】
第１のプロセッサと、
第２のプロセッサと、
第１の表示部と、
第２の表示部と、
を備え、
前記第１のプロセッサ及び前記第２のプロセッサが連携して、時刻表示を含む表示動作の実行中には、動作状態に応じて、前記第１の表示部及び前記第２の表示部の少なくとも一方への時刻表示処理を実行し、
前記第２の表示部は、前記第１の表示部の上部に配置され、時刻を表示しない状態では前記第１の表示部の表示内容を透過させるように制御される
ことを特徴とする電子機器。
【請求項２】
プロセッサと、
第１の表示部と、
第２の表示部と、
を備え、
前記プロセッサが時刻表示を含む表示動作の実行中には、動作状態に応じて、前記第１の表示部及び前記第２の表示部の少なくとも一方への時刻表示処理を実行し、
前記第２の表示部は、前記第１の表示部の上部に配置され、時刻を表示しない状態では前記第１の表示部の表示内容を透過させるように制御される
ことを特徴とする電子機器。
【請求項３】
プロセッサと、
第１の表示部と、
第２の表示部と、
を備え、
前記プロセッサが表示動作の実行中には、動作状態に応じて、前記第１の表示部及び前記第２の表示部の少なくとも一方への表示処理を実行し、
前記第２の表示部は、前記第１の表示部の上部に配置され、前記第１の表示部の表示内容を透過させるように制御される
ことを特徴とする電子機器。
【請求項４】
プロセッサと、
第１の表示部と、
第２の表示部と、
を備え、
前記第２の表示部は、前記第１の表示部の上部に配置され、時刻を表示しない状態では前記第１の表示部の表示内容を透過させるように制御される
ことを特徴とする電子機器。
【請求項５】
前記第２のプロセッサは、前記第１のプロセッサよりも低消費電力、及び又は、前記第１のプロセッサの動作周波数よりも低い動作周波数、で動作することを特徴とする請求項１記載の電子機器。
【請求項６】
前記第１のプロセッサの制御により時刻を計数する第１の時計手段と、
前記第１の時計手段とは別個に時刻を計数する第２の時計手段と、
を備え、
前記第１のプロセッサは、前記第１の時計手段により計数された時刻を前記第１の表示部に表示させ、
前記第２のプロセッサは、前記第２の時計手段により計数された時刻を前記第２の表示部に表示させる
ことを特徴とする請求項１記載の電子機器。
【請求項７】
外部から時刻情報を取得する時刻取得手段を備え、
前記第１のプロセッサは、前記時刻取得手段により取得された時刻に基づいて前記第１の時計手段の計数する時刻を補正する
ことを特徴とする請求項６に記載の電子機器。
【請求項８】
前記第２の表示部は、前記第１の表示部よりも低消費電力であることを特徴とする請求項１〜７の何れか一項に記載の電子機器。